(57)【要約】  【課題】庇パネルを両側縁部及び建物側側縁部の３辺で支持させて取り付けるようにした庇の取付け構造において、庇パネルの両側縁部を支持する構造部分を極力露出させないようにすることでデザイン性を向上させ、かつ躯体精度に拘わらず調整代を十分に確保でき、かつ調整手間が少なくて済むようにする。  【解決手段】庇パネルの両側縁部に溝付枠材２，２を設け、建物の両側壁面に、前記溝付枠材２の溝部に係合可能とされるとともに、出入り調整可能とされる軸状支持具５を水平方向に間隔を空けて複数設け、かつ前記建物の奥側壁面に前記庇パネル１の建物側端部を嵌合させるための水平枠材１２を設ける。室外側から、前記庇パネル１の両側縁部に設けられた溝付枠材２，２に軸状支持具５の先端を係合させながら建物側に差込み、庇パネル１の建物側端部を前記水平枠材１２に嵌合させた状態とし、前記庇パネル１の建物側端部を水平枠材１２に固定する。【選択図】図１
2005314923.tif 000002
【特許請求の範囲】
【請求項１】
庇パネルを両側縁部及び建物側側縁部の３辺で支持させて取り付けるようにした庇の取付け構造であって、
前記庇パネルの両側縁部にそれぞれ溝付枠材を設けるとともに、前記庇パネルの両側縁部位置に存在する建物躯体又は別途設置された支持部材に、先端部分が前記溝付枠材の溝部に係合可能とされるとともに、出没方向に出入り調整可能とされる軸状支持具を１又は水平方向に間隔を空けて複数設け、かつ建物壁面に前記庇パネルの建物側端部を嵌合させるためのパネル嵌合部が形成された水平枠材を設けておき、
室外側から、前記庇パネルの両側縁部に設けられた溝付枠材に軸状支持具の先端を係合させながら建物側に差込み、庇パネルの建物側端部を前記水平枠材のパネル嵌合部に嵌合させた状態とし、前記庇パネルの建物側端部を水平枠材に連結固定したことを特徴とする庇の取付け構造。
【請求項２】
前記庇パネルの建物側端部に第２の溝付枠材を設けるとともに、この第２の溝付枠材の溝部に頭部を嵌合させた締結ボルトを所要数取り付けておき、前記庇パネルの建物側端部を前記水平枠材のパネル嵌合部に嵌合させた状態で、前記締結ボルトを前記水平枠材にナット締結してある請求項１記載の庇の取付け構造。
【請求項３】
前記軸状支持具の先端部は軸部よりも大きくし、前記溝付枠材の溝部に前記先端部を嵌入させてある請求項１〜２いずれかに記載の庇の取付け構造。
【請求項４】
前記支持部材は、仕上げパネル、柱部材、片持ち梁状のブラケットのいずれかとし、これら支持部材に貫通状態で前記軸状支持具を設けてある請求項１〜３いずれかに記載の庇の取付け構造。
【請求項５】
前記軸状支持具を建物躯体に設ける場合は、該躯体に後付け雌ネジアンカーを埋設し、軸状支持具のネジ部を螺入させ設置してある請求項１〜３いずれかに記載の庇の取付け構造。
【発明の詳細な説明】
【技術分野】
【０００１】
本発明は、ビル等において、平面視で建物の凹状空間を構成している両側壁面及び奥側壁面の３辺で庇パネルを支持させて取り付けるようにした庇の取付け構造に関する。
【背景技術】
【０００２】
従来より、ビル等においては、庇ユニット又は庇パネルを建物本体へ取付けることが行われているが、この庇ユニット等の取付けは、庇ユニットをクレーン等で吊り上げたり、複数の作業者によって差し上げして位置決めを行い、その状態で作業者が庇ユニット等を建物本体の柱や梁等の構造体にボルト等によって接合していた。
【０００３】
しかしながら、前記庇ユニット等が大型でかつ重量がある場合には、クレーン等で吊り上げたり、作業者が差し上げしたりした状態で正確に位置決めすることが困難であるとともに、施工性が非常に悪いという問題があった。
【０００４】
そこで、下記特許文献１においては、庇ユニットの位置決めが簡単にでき、取付け施工を少人数で容易に行えるように、建物本体より突設させて設けた複数本の片持ち梁に、庇ユニットをその背面開放部側から差込み、庇ユニットに内蔵された複数本の支持フレームの両端部を片持ち梁の上下フランジ間に挿入して建物本体方向にスライドさせ、庇ユニットが建物本体に略当接した位置で、片持ち梁の下フランジと支持フレームの両端部を庇ユニットの下面開放部より接合して庇ユニットを建物本体に取付けるようにした庇施工方法が開示されている。
【特許文献１】特開２０００−１７７６５号公報
【発明の開示】
【発明が解決しようとする課題】
【０００５】
しかしながら、上記特許文献１の庇施工方法は、片持ち梁構造の支持フレームに庇ユニットの重量を支持させる構造であり、庇ユニットが大型化した場合には支持強度に不安が残る。また、予め壁面に支持フレームを取り付けておくことにより、庇ユニットの設置が容易になるものの、調整代を確保しずらい構造であるため、精度誤差などにより庇ユニットを支持フレームに挿入できない、或いはボルト孔にズレが生じているため、ボルトを取り付けることができないなどの問題が生じることがあった。
【０００６】
一方で、ビル等の壁面が凹状に構成されている部位などにおいて、両側壁面及び奥側壁面の３辺を支持面として庇パネルを取り付け、屋根や庇として利用することがある。
【０００７】
この場合の支持構造は、両側壁面及び奥側壁面のそれぞれに溝付の支持枠を固定し、これら両側壁に固定した支持枠の溝部に庇パネルの両側縁を嵌合させ、建物側に差込み固定することが多い。この支持構造の場合は、庇パネルが大型化しても庇パネルの３辺を夫々支持する構造であるため支持強度に問題はないものの、支持枠の位置調整が難しく、庇パネルが挿入不能であったりすることがあるとともに、前記両側壁面に固定した支持枠が、外部から見えるため見栄えやデザイン性が悪くなるなどの問題があった。
【０００８】
そこで本発明の主たる課題は、庇パネルを両側縁部及び建物側側縁部の３辺で支持させて取り付けるようにした庇の取付け構造において、庇パネルの両側縁部を支持する構造部分を極力露出させないようにすることでデザイン性を向上させること、第２に躯体精度に拘わらず調整代を十分に確保でき、かつ調整手間が少なくて済むようにした庇の取付け構造を提供することにある。
【課題を解決するための手段】
【０００９】
前記課題を解決するために請求項１に係る本発明として、庇パネルを両側縁部及び建物側側縁部の３辺で支持させて取り付けるようにした庇の取付け構造であって、
前記庇パネルの両側縁部にそれぞれ溝付枠材を設けるとともに、前記庇パネルの両側縁部位置に存在する建物躯体又は別途設置された支持部材に、先端部分が前記溝付枠材の溝部に係合可能とされるとともに、出没方向に出入り調整可能とされる軸状支持具を１又は水平方向に間隔を空けて複数設け、かつ建物壁面に前記庇パネルの建物側端部を嵌合させるためのパネル嵌合部が形成された水平枠材を設けておき、
室外側から、前記庇パネルの両側縁部に設けられた溝付枠材に軸状支持具の先端を係合させながら建物側に差込み、庇パネルの建物側端部を前記水平枠材のパネル嵌合部に嵌合させた状態とし、前記庇パネルの建物側端部を水平枠材に連結固定したことを特徴とする庇の取付け構造が提供される。
【００１０】
上記請求項１記載の本発明においては、先ず庇パネルを両側縁部及び建物側側縁部の３辺で支持させて取り付けるようにするため、パネルが大型化しても十分な支持強度を確保することができる。また、庇パネルの両側縁部の支持を軸状支持具により行うようにしたため、庇パネルの両側縁部を支持する構造部分を極力露出させないようにすることができ、デザイン性を向上させることができるようになる。更には、前記軸状支持具は出没方向に出入り調整可能としたため、躯体精度に拘わらず調整代を十分に確保できるようになり、かつ調整手間も少なくて済むようになる。
【００１１】
請求項２に係る本発明として、前記庇パネルの建物側端部に第２の溝付枠材を設けるとともに、この第２の溝付枠材の溝部に頭部を嵌合させた締結ボルトを所要数取り付けておき、前記庇パネルの建物側端部を前記水平枠材のパネル嵌合部に嵌合させた状態で、前記締結ボルトを前記水平枠材にナット締結してある請求項１記載の庇の取付け構造が提供される。
【００１２】
上記請求項２記載の本発明においては、前記庇パネルの建物側端部に第２の溝付枠材を設け、この第２溝付枠材の溝部に頭部を嵌合させた締結ボルトを取り付けておき、庇パネルの両側縁に設けられた溝付枠材に軸状支持具の先端を係合させながら建物側に庇パネルを差し込んで設置した状態で、室内側から前記締結ボルトを前記水平枠材にナット締結するようにした。これにより確実に庇パネルの脱落防止が図れるようになる。
【００１３】
請求項３に係る本発明として、前記軸状支持具の先端部は軸部よりも大きくし、前記溝付枠材の溝部に前記先端部を嵌入させてある請求項１〜２いずれかに記載の庇の取付け構造が提供される。
【００１４】
上記請求項３記載の本発明においては、前記軸状支持具の先端部は軸部よりも大径の係合部、例えば六角形状又は矩形の頭部形状とし、この頭部を溝付枠材の溝部に嵌合させるようにしたため、軸状支持具と庇パネルとの係合が確実に図れるため、抜け落ちることが無くなる。
【００１５】
請求項４に係る本発明として、前記支持部材は、仕上げパネル、柱部材、片持ち梁状のブラケットのいずれかとし、これら支持部材に貫通状態で前記軸状支持具を設けてある請求項１〜３いずれかに記載の庇の取付け構造が提供される。
【００１６】
上記請求項４記載の本発明においては、前記軸状支持具を支持する支持部材としては、例えば仕上げパネル、柱部材、片持ち梁状のブラケットのいずれかとし、これら支持部材に貫通状態で前記軸状支持具を設けるようにしてある。この場合、前記軸状支持具は、前記仕上げパネルを貫通させて設けたボルト状部材と、仕上げパネルの背面側において前記ボルト状部材に螺設したナット部材とすることができ、螺入量を調整することにより出没方向の出入り調整が成される。
【００１７】
請求項５に係る本発明として、前記軸状支持具を建物躯体に設ける場合は、該躯体に後付け雌ネジアンカーを埋設し、軸状支持具のネジ部を螺入させ設置してある請求項１〜３いずれかに記載の庇の取付け構造が提供される。
【００１８】
上記請求項５記載の本発明においては、前記軸状支持具を建物の躯体に設ける場合には、躯体に後付け雌ネジアンカー（ホールインアンカー等）を埋設した上で、この後付け雌ネジアンカーの雌ネジ孔に軸状支持具のネジ部を螺入させて設置することができる。この場合にも、螺入量を調整することにより軸状支持具の出入り調整が成される。
【発明の効果】
【００１９】
以上詳説のとおり本発明によれば、庇パネルの両側縁部を支持する構造部分を極力露出させないようにできるため、デザイン性を向上させることができる。また、前記軸状支持具は出没方向に出入り調整可能としたため、躯体精度に拘わらず調整代を十分に確保できるようになり、かつ調整手間も少なくて済むようになる。
【発明を実施するための最良の形態】
【００２０】
以下、本発明の実施の形態について図面を参照しながら詳述する。
【００２１】
図１は本発明に係る庇の取付け要領を示す斜視図、図２は庇パネル１の両側縁部に設けられる溝付枠材２の斜視図、図３は庇パネル１の建物側端部に設けられる第２溝付枠材３の斜視図である。
【００２２】
図１において、本発明に係る庇の取付け構造は、建物の凹状空間部分において、該凹状空間を構成している両側壁面及び奥側壁面の３辺に、庇パネル１を支持させ取り付けるようにしたものである。
【００２３】
本庇パネル１においては、その両側縁部に溝付枠材２、２が設けられるとともに、その建物側端部に第２溝付枠材３が設けられている。
【００２４】
前記溝付枠材２は、詳細には図２に示されるように、略Ｈ断面形状を成す形材であり、ウエブ２ａを境に一方側に上フランジ２ｂ、下フランジ２ｃにより凹状のパネル呑込み溝Ｍ１が形成されるとともに、他方側に前記上フランジ２ｂ及び下フランジ２ｃの側端部が夫々Ｌ字状に屈曲することにより部材長手方向に沿って、後述する軸状支持具５の先端部７ａが嵌合する嵌合溝Ｍ２が形成されている。庇パネル１への取付けは、前記パネル呑込み溝Ｍ１内に庇パネル１の側縁部を嵌合させ一体的に取り付けられる。なお、前記嵌合溝Ｍ２の内部においては、前記上フランジ２ｂの内面及び下フランジ２ｃの内面に夫々突片２ｄ、２ｅが設けられることにより空間が区画され、軸状支持具５の先端部７ａがガタ付かないよう保持されるようになっている。
【００２５】
前記第２溝付枠材３は、詳細には図３に示されるように、ウエブ３ａ、上フランジ３ｂ、下フランジ３ｃによりコ字状断面を成し、パネル呑込み溝Ｍ３が形成されるとともに、ウエブ３ａの背面側にＬ字状リップ片３ｄ、３ｅを対向配置することによりボルト頭部の嵌合溝Ｍ４が形成された形材である。庇パネル１への取付けは、前記パネル呑込み溝Ｍ３内に庇パネル１の奥縁部を嵌合させ一体的に取り付けられる。なお、前記パネル呑込み溝Ｍ３の上面、奥面及び下面の３辺に亘り、水密性を確保するために断面コ字状の固形シール材２０が嵌設されている。
【００２６】
一方、前記建物の凹状空間を形成している両側壁面には、躯体の外面に仕上げパネル４，４が夫々貼設されている。この仕上げパネル４には、庇パネル１の設置位置に対応して、水平方向に間隔を空けて複数の、図示例では２本の軸状支持具５，５が設けられている。
【００２７】
前記軸状支持具５は、図４に示されるように、主に仕上げパネル４を貫通して設けられたボルト状部材とナット部材からなる部材であり、仕上げパネル４に貫通孔を形成したならば、この貫通孔部分にスペーサとして筒状体６を埋設し、建物の凹状空間側から頭部を有するボルト状部材７を挿通し、仕上げパネル４の背面側においてワッシャー８を通し、ナット部材９を螺設し取り付けられている。なお、図示例では出入り調整後の固定のために、前記ナット部材９の外周から回り止めビス１０を螺入させるようになっている。
【００２８】
前記ボルト状部材７は、相対的に大径の頭部７ａ（先端部）を有し（図示例ではワッシャーをも備える。）、前記ナット部材９に対する螺入量を調整することにより仕上げパネル４からの突出量が調整自在となっており、予め前記突出量を調整した上で、仕上げパネル４が建物躯体の外面に貼設される。なお、本例では前記ボルト状部材７の頭部７ａを六角形状としたが、後述する締結ボルト１３と同様に矩形状としてもよい。
【００２９】
ところで、前記仕上げパネル４を有さず、建物躯体に直接、軸状支持具５を設けることもできる。この場合には、図５に示されるように、躯体にホールインアンカー１１（後付け雌ネジアンカー）を埋設しておき、このホールインアンカー１１の雌ネジ孔に、前記ボルト状部材７のネジ部を螺入し取り付けるようにすればよい。この場合も、前記ボルト状部材７の出入り調整は螺入量を調整することにより成される。
【００３０】
他方、前記建物の凹状空間を形成している奥側壁面には、図１に示されるように、前記庇パネル１の奥端部を嵌合させるためのパネル嵌合部Ｍ５が形成された水平枠材１２が設置されている。前記水平枠材１２の隣接位置には、前記パネル嵌合部Ｍ５の上部側に配置される壁面パネルＰ１の下縁を支持するパネル支持枠１４が設けられるとともに、前記パネル嵌合部Ｍ５の下部側に配置される壁面パネルＰ２の上縁を支持するパネル支持枠１５が設けられている。
【００３１】
前記庇パネル１を取付けるに当たっては、庇パネル１の第２溝付枠材３の嵌合溝Ｍ４に頭部を嵌合させた締結ボルト１３，１３を所要数だけ、図示例では３個の締結ボルト１３，１３…を取り付けておき、室外側から、前記庇パネル１の両側縁部に設けられた溝付枠材２，２に軸状支持具５の先端７ａを嵌合させながら建物側に差込んで設置する。
【００３２】
庇パネル１は、図６に示されるように、庇パネル１の奥端部を水平枠材１２のパネル嵌合部Ｍ５に嵌入させるまで差し込んだならば、第２溝付枠材３に取り付けてある前記締結ボルト１３，１３…を水平枠材１２にナットにより締結するようにする。
【００３３】
具体的には、図７(A)に示されるように、水平枠材１２の中間締結部においては、水平枠材１２の裏面側に予め開口１２ａを形成しておき、前記締結ボルト１３のネジ部を水平枠材１２の隔壁孔１２ｂを貫通させた状態とした後、室内側から前記開口１２ａからワッシャー１６、ナット１７を締結ボルト１３に設置し堅固に締結する。なお、図７(B)に示されるように、端部締結部においては、水平枠材１２の小口からワッシャー１６、ナット１７を締結ボルト１３に設置し締結する。
【００３４】
〔他の形態例〕
(1)上記形態例において、仕上げパネル４には庇パネル１の設置位置に対応して、水平方向に間隔を空けて２本の軸状支持具５，５を設けるようにしたが、前記軸状支持具５は３本以上設けるようにしてもよいし、場合によっては１本のみとしてもよい。
(2)上記形態例においては、前記軸状支持具５は大径の頭部を有するボルト状部材７としたが、頭部を有しない同径の軸部材としてもよい。
(3)上記形態例においては、庇パネル１の建物側端部に第２溝付枠材３を設け、この第２溝付枠材３の溝部に頭部を嵌合させて締結ボルト１３を所要数だけ取り付けておき、庇パネル１を設置した状態で、前記締結ボルト１３を前記水平枠材１２にナット締結するようにしたが、前記第２溝付枠材３及び締結ボルト１３を省略し、水平枠材１２に庇パネル１の建物側端部を嵌合させた状態で、水平枠材１２及び庇パネル１の建物側端部を共に貫通するように設けた締結ボルトによって固定するようにしてもよい。
(4)上記形態例では、建物の凹状空間部分において、該凹状空間を構成している両側壁面及び奥側壁面の３辺に、庇パネル１を支持させ取り付けるようにしたが、建物壁面は一般的な鉛直壁面であってもよい。この場合には、前記軸状支持具５、５を支持するための支持部材を別途設置するようにする。具体的には、前記仕上げパネル４を別途設置してもよいし、図８に示されるように、前記軸状支持具５，５を支持するために柱部材４Ａ、４Ａを別途設置するようにしてもよいし、図９に示されるように、建物側から片持ち梁状のブラケット４Ｂを別途設置するようにしてもよい。
【図面の簡単な説明】
【００３５】
【図１】本発明に係る庇の取付け要領を示す斜視図である。
【図２】庇パネル１の両側縁部に設けられる溝付枠材２の斜視図である。
【図３】庇パネル１の建物側端部に設けられる第２溝付枠材３の斜視図である。
【図４】仕上げパネル４に設けられる軸状支持具５の取付け要領を示す図であり、(A)は仕上げパネル４の一方側を示し、(B)は他方側を示す図である。
【図５】躯体に軸状支持具５を設ける場合の縦断面図である。
【図６】庇パネル１の設置状態を示す斜視図である。
【図７】庇パネル１と水平枠材１２との締結要領を示す図であり、(A)は中間締結部を示し、(B)は端部締結部を示す図である。
【図８】前記軸状支持具５を柱部材４Ａによって支持した場合の庇の取付け要領を示す斜視図である。
【図９】前記軸状支持具５をブラケット４Ｂによって支持した場合の庇の取付け要領を示す斜視図である。
【符号の説明】
【００３６】
１…庇パネル、２…溝付枠材、３…第２溝付枠材、４…仕上げパネル、４Ａ…柱部材、４Ｂ…ブラケット、５…軸状支持具、６…筒状体（スペーサ）、７…ボルト状部材、７ａ…頭部、８…ワッシャー、９…ナット部材、１１…ホールインアンカー（後付け雌ネジアンカー）、１２…水平枠材、１３…締結ボルト
【図１】
2005314923.tif 000003
【図２】
2005314923.tif 000004
【図３】
2005314923.tif 000005
【図４】
2005314923.tif 000006
【図５】
2005314923.tif 000007
【図６】
2005314923.tif 000008
【図７】
2005314923.tif 000009
【図８】
2005314923.tif 000010
【図９】
2005314923.tif 000011